(57)【要約】【課題】複数の情報記録カードを装着するようにすることで携帯機器を大型化することなく省スペース化を図ることができるカードコネクタを提供する。【解決手段】コネクタ側接点２０を有する端子１２が固定されたインシュレータ１１と、カード挿入保持部１５，１６と、を備え、情報が収納されている情報記録カード６０，６１がカード挿入保持部１５，１６に装着されるのに伴い、情報記録カード６０，６１に有するカード側接点６２にコネクタ側接点２０が電気的に接続されて情報記録カード６０，６１に収納されている情報を抽出するカードコネクタ１０であって、インシュレータ１１が、少なくとも２個のカード挿入保持部１５，１６を備えている。【選択図】図１
2008130515.tif 000002
【特許請求の範囲】
【請求項１】
コネクタ側接点を有する端子が固定されたインシュレータと、カード挿入保持部と、を備え、情報が収納されている情報記録カードが該カード挿入保持部に装着されるのに伴い、該情報記録カードに有するカード側接点に該コネクタ側接点が電気的に接続されて前記情報記録カードに収納されている情報を抽出するカードコネクタであって、
前記インシュレータが、少なくとも２個の前記カード挿入保持部を備えていることを特徴とするカードコネクタ。
【請求項２】
前記カード挿入保持部が、前記情報記録カードを重ね合わせるように配置され、前記コネクタ側接点が、該情報記録カードの間の前記インシュレータに配置されていることを特徴とする請求項１に記載したカードコネクタ。
【請求項３】
前記カード挿入保持部が、トレーに収納された前記情報記録カードを挿脱自在であることを特徴とする請求項１または請求項２に記載したカードコネクタ。
【請求項４】
前記トレーが、前記情報記録カードを前記コネクタ接点側に押圧する押圧機構を備えていることを特徴とする請求項３に記載したカードコネクタ。
【請求項５】
前記コネクタ側接点が、前記インシュレータの成形時に、金型のキャビティの一部を形成することを特徴とする請求項１〜請求項４のいずれか一項に記載したカードコネクタ。
【発明の詳細な説明】
【技術分野】
【０００１】
本発明は、例えば携帯電話等に装着することで個人情報を使うＳＩＭカード（subscriber identity module）等の情報記録カードの装着用に用いられるカードコネクタに関する。
【背景技術】
【０００２】
携帯電話に用いられるＳＩＭカードは、例えば、ヨーロッパ等の国を超えて単一の携帯電話を使用する機会が多い場合、その国で発行されているＳＩＭカードを入れ換えて使用すれば、異なる国において、その携帯電話を使用することができる。特に、ＳＩＭカードは、使用する国で購入する方が、低価格な通話料金で通話をすることができる。
【０００３】
従来のカードコネクタとして、図５に示すように、インシュレータ１０１にヒンジ連結されたカバー１０２を有し、情報記録カード１０３を装着させたカバー１０２をインシュレータ１０１側に閉じることで、情報記録カード１０３のカード側接点１０４をコネクタ側接点１０５に電気的に接続させるようにしたカードコネクタ１００が知られている（例えば、特許文献１参照）。
【０００４】
【特許文献１】特開２００６−８５９８７号公報
【発明の開示】
【発明が解決しようとする課題】
【０００５】
ところが、上記特許文献１に開示されたカードコネクタ１００においては、単一の情報記録カード１０３のみを装着する構造であるために、複数枚の記録情報カード１０３を装備するには、携帯電話等の携帯機器に複数のカードコネクタ１００を組み込むこととなり、携帯機器の外形が大型化する虞がある。
【０００６】
また、情報記録カード１０３を装着させるに際し、カバー１０２をインシュレータ１０１から跳ね上げなければならいので、このカードコネクタ１００が搭載される携帯機器等に、カバー１０２の跳ね上げ用のスペースを確保しなければならない。それによって、携帯機器等に大きなスペースを必要として小型化を図れない。
【０００７】
本発明は、上述した事情に鑑みてなされたものであり、その目的は、複数の情報記録カードを装着するようにすることで携帯機器を大型化することなく省スペース化を図ることができるカードコネクタを提供することにある。
【課題を解決するための手段】
【０００８】
１）本発明に係るカードコネクタは、コネクタ側接点を有する端子が固定されたインシュレータと、カード挿入保持部とを備え、情報が収納されている情報記録カードが該カード挿入保持部に装着されるのに伴い、該情報記録カードに有するカード側接点に該コネクタ側接点が電気的に接続されて前記情報記録カードに収納されている情報を抽出するカードコネクタであって、前記インシュレータが、少なくとも２個の前記カード挿入保持部を備えていることを特徴としている。
【０００９】
上記１）に記載の発明によれば、インシュレータが少なくとも２個のカード挿入保持部を備えているために、国を超えて単一の携帯電話を使用する機会において、複数のＳＩＭカードを同時に装着して、その国毎に使用するのに適する。もちろん、単一のインシュレータに複数の情報記録カードを装着・保持できるために、携帯機器に大きなスペースを必要とせずに、外形が大型化することがない。
【００１０】
２）また、本発明に係るカードコネクタは、上記１）に記載のカードコネクタであって、前記カード挿入保持部が、前記情報記録カードを重ね合わせるように配置され、前記コネクタ側接点が、該情報記録カードの間の前記インシュレータに配置されていることを特徴としている。
【００１１】
上記２）に記載の発明によれば、情報記録カードが重ね合わせで配置され、情報記録カードの間のインシュレータにコネクタ側接点が配置されているために、コネクタ側接点を一個所に集中して配置することができる。
【００１２】
３）また、本発明に係るカードコネクタは、上記１）または上記２）に記載のカードコネクタであって、前記カード挿入保持部が、トレーに収納された前記情報記録カードを挿脱自在であることを特徴としている。
【００１３】
上記３）に記載の発明によれば、情報記録カードが保護用のカバーとして機能するトレーに収納されている場合においても、そのトレーとともに情報記録カードをカード挿入保持部に挿脱できるので、トレーでもって比較的薄く、剛性の低い情報記録カードを保護して取り扱いを良好にすることができる。
【００１４】
４）また、本発明に係るカードコネクタは、上記３）に記載のカードコネクタであって、前記トレーが、前記情報記録カードを前記コネクタ接点側に押圧する押圧機構を備えていることを特徴としている。
【００１５】
上記４）に記載の発明によれば、トレーの押圧機構によって、情報記録カードがコネクタ接点側に押圧される。これにより、情報記録カードがカード挿入保持部に安定して保持されるとともに、情報記録カードのカード側接点とコネクタ側接点とを良好な電気的接続状態とすることができる。
【００１６】
５）また、本発明に係るカードコネクタは、上記１）〜上記４）のいずれかに記載のカードコネクタであって、前記コネクタ側接点が、前記インシュレータの成形時に、金型のキャビティの一部を形成することを特徴としている。
【００１７】
上記５）に記載の発明によれば、コネクタ側接点をインシュレータにインサートモールドする際に、金型のキャビティの一部にコネクタ側接点を用い、金型の分離時に、そのコネクタ側接点をインシュレータから剥離することで、簡素な金型でコネクタ側接点を弾性変形可能に成形することができるので、限られたスペース内で適切なバネ圧を持った接点構造を作成できる。
【発明の効果】
【００１８】
本発明のカードコネクタによれば、携帯機器の外形が大型化する、携帯機器等に大きなスペースを必要として小型化を図れないという問題を解決でき、これにより、複数の情報記録カードを装着するようにすることで、１台で２台分の機能を付加することができる。
【発明を実施するための最良の形態】
【００１９】
以下、本発明に係る好適な実施の形態例を図面に基づいて詳細に説明する。
【００２０】
図１は本発明の一実施形態に係るカードコネクタと情報記録カードとの分解斜視図、図２は図１の組込斜視図、図３は図２のI−I線断面図、図４は図１のインシュレータ成形時の金型の断面図である。
【００２１】
図１に示すように、本発明の一実施形態であるカードコネクタ１０は、インシュレータ１１と、インシュレータ１１に一体成形されている複数の１２個のコネクタ側端子１２と、を備え、複数の２枚の情報記録カード６０，６１を挿脱自在に保持する。
【００２２】
インシュレータ１１は、導電性のない、例えば硬質の樹脂を用いて断面視Ｈ字形に成形されている。インシュレータ１１は、平板状をなす本体１３の両側部に一対の側板１４を有しており、本体１３の上面と側板１４とで囲まれていて情報記録カード６０の外形よりもわずかに大きい上側カード挿入保持部１５と、本体１３の下面と側板１４とで囲まれていて情報記録カード６１の外形よりもわずかに大きい下側カード挿入保持部１６と、を備えている。
【００２３】
本体１３は、両カード挿入保持部１５，１６の前面である情報記録カード６０、６１の挿入側に、円弧形状に切除されたカード挿抜用切欠１７が形成されている。また、本体１３は、上側カード挿入保持部１５と下側カード挿入保持部１６との左寄りに、一対の矩形の導通用貫通孔１８，１９が形成されており、導通用貫通孔１８，１９のそれぞれに、１２個のコネクタ側端子１２の先端部に有するコネクタ側接点２０のうちの６個ずつが、３個ずつ並列にして上下に配置されている。このとき、１２個のコネクタ側接点２０のうちの上側の６個は上方に向けた弾性反発力を蓄積しているとともに、下側の６個は下方に向けた弾性反発力を蓄積しているために、導通用貫通孔１８，１９の側縁部に形成された変形規制用突部２１にそれぞれ係止されることで、上側の６個は上方に、下側の６個は下方に、その位置からさらに変形しないようになっている。
【００２４】
コネクタ側端子１２は、インシュレータ１１の本体１３に一体成形されており、情報記録カード６０のカード側接点６２に一致するように配置されたコネクタ側接点２０を先端部に有し、回路基板接続部２２を他端部に有する。コネクタ側接点２０は、接触の安定、撓み易さのために半球形状に形成されている。
【００２５】
インシュレータ１１は、１２個のうちの６個ずつのコネクタ側端子１２の回路基板接続部２２を側板１４の下端縁に突出させており、これらの側部に接地回路形成用の一対の接地端子２３を突出させている。
【００２６】
情報記録カード６０、６１は、世界中の国で発行されている統一規格のＳＩＭカード（subscriber identity module）であり、長寸側と、短寸側と、を有する長方形の板状体である。情報記録カード６０，６１は、図１に示す矢印方向であるカードコネクタ１０への挿入方向に沿って３個ずつで、カードコネクタ１０への挿入方向に直交する方向に２個ずつ配列された合計６個のカード側接点６２を備えている。カード側接点６２は、上側に配置される情報記録カード６０は下面に、下側に配置される情報記録カード６１は上面に、それぞれ配置される。
【００２７】
情報記録カード６０，６１は、電話番号、ユーザーＩＤ、料金等の通話契約情報や、個人メールアドレス等が、内蔵されている記録装置（ＲＡＭ）に保存されているとともに、情報の演算処理等を行うことができ、カード側接点６２から、それらの情報を抽出することができる。
【００２８】
情報記録カード６０には、上側トレー６３が外装され、情報記録カード６１には、下側トレー６４が外装される。
【００２９】
上側トレー６３は、情報記録カード６０の保護用のカバーとして機能するとともに外乱防止用のシールドとして機能し、例えば、銅（Ｃｕ）合金を用いて薄肉に成形されて、情報記録カード６０の反カード側接点６２側の上面及び側面並びに後面を覆う形状に形成されている。上側トレー６３は、両側部に鍔形状のフランジ６５をそれぞれ有し、ほぼ中央部に、押圧機構である一対の板ばね部材６６が形成されており、挿入方向の反対側に引き出し用のフック６７を有する。板ばね部材６６は、下方に向けた弾性反発力を蓄積している。
【００３０】
下側トレー６４は、情報記録カード６１の保護用のカバーとして機能し、樹脂部材を用いて情報記録カード６０の反カード側接点６２側の下面と外周面とを覆う形状に形成されており、挿入方向の反対側に突部６８を有し、両側部に鍔形状のフランジ６９をそれぞれ有する。
【００３１】
図２、図３に示すように、インシュレータ１１の上側カード挿入保持部１５に、上側トレー６２に装着された情報記録カード６０が短寸側を先にして挿入され、下側カード挿入保持部１６に、下側トレー６４に装着された情報記録カード６１が長寸側を先にして挿入される。
【００３２】
上側トレー６２は、フランジ６５がインシュレータ１１の側板１４に形成されているガイド溝２６に誘導されながら挿入されて上側カード挿入保持部１５に保持される。
【００３３】
下側トレー６３は、フランジ６９がインシュレータ１１の側板１４に形成されているガイド溝２７に誘導されながら挿入されて下側カード挿入保持部１６に保持される。
【００３４】
このとき、上側トレー６２の一対の板ばね部材６６が上側の情報記録カード６０を下方に向けて付勢するために、情報記録カード６０は、カード側接点６２がコネクタ側接点２０に安定して電気的に接続される。
【００３５】
図４に示すように、コネクタ側端子１２は、コネクタ側接点２０が、インシュレータ１１の成形時に、上側金型７０及び下側金型７１のキャビティ７２，７３のうちの一部を形成する。
【００３６】
上側金型７０と下側金型７１とは、合体された際に、コネクタ側端子１２の先端部側のキャビティ７２と、コネクタ側端子１２の中央部側のキャビティ７３と、が形成されており、先端部側のキャビティ７２に、コネクタ側端子１２の先端部が埋設されている。
【００３７】
両キャビティ７２，７３内に樹脂材料が注入された後に、上側金型７０と下側金型７１が分離される。そして、コネクタ側端子１２の先端部を樹脂材料から剥離することで、中央部側がインシュレータ１１に一体成形されていて、先端部がインシュレータ１１から弾性変形可能なコネクタ側端子１２が成形される。
【００３８】
このようなカードコネクタ１０は、不図示の回路基板上に組み付けられ、インシュレータ１１のコネクタ側端子１２の回路基板接続部２２と、接地端子２３と、が回路基板のプリント配線に、例えば半田付け等で電気的に接続されて、不図示の携帯機器等に装備される。
【００３９】
情報記録カード６０，６１を両カード挿入保持部１５，１６から抜き出すに際しては、カード挿抜用切欠１７を介して、上側トレー６３のフック６７を指で摘んで引っ張ることで、上側トレー６３とともに情報記録カード６０が簡単に抜き出され、下側トレー６４の突部６８を指で摘んで引っ張ることで、下側トレー６４とともに情報記録カード６１が簡単に抜き出される。
【００４０】
上述したように、本実施形態のカードコネクタ１０によれば、インシュレータ１１が２個のカード挿入保持部１５，１６を備えているために、国を超えて単一の携帯電話を使用する機会において、複数の情報記録カード６１，６１を同時に装着して、その国毎に使用するのに適する。もちろん、単一のインシュレータ１１に２個の情報記録カード６０，６１を装着・保持できるために、携帯機器に大きなスペースを必要とせずに、外形が大型化することがない。
【００４１】
また、カードコネクタ１０によれば、情報記録カード６０，６１が重ね合わせで配置され、情報記録カード６０，６１の間のインシュレータ１１の本体１３にコネクタ側接点２０が配置されているために、コネクタ側接点２０を一個所に集中して配置することができる。
【００４２】
また、カードコネクタ１０によれば、情報記録カード６０，６１が保護用のカバーとして機能するトレー６３，６４に収納され、それらトレー６３，６４とともに情報記録カード６０，６１をカード挿入保持部１５，１６に挿脱できるので、トレー６３，６４でもって、比較的薄く、剛性の低い情報記録カード６０，６１を保護して取り扱いを良好にすることができる。
【００４３】
また、カードコネクタ１０によれば、トレー６３の板ばね部材６６によって、情報記録カード６０がコネクタ接点２０側に押圧される。これにより、情報記録カード６１がカード挿入保持部１５に安定して保持されるとともに、情報記録カード６０のカード側接点６２とコネクタ側接点２０とを良好な電気的接続状態とすることができる。
【００４４】
また、カードコネクタ１０によれば、コネクタ側端子１２をインシュレータ１１にインサートモールドする際に、金型７０，７１のキャビティ７２の一部にコネクタ側端子１２を用い、金型７０，７１の分離時に、コネクタ側接点２０をインシュレータ１１から剥離することで、簡素な金型７０，７１でコネクタ側端子１２を弾性変形可能に成形することができるので、限られたスペース内で適切なバネ圧を持った接点構造を作成できる。
【００４５】
さらに、カードコネクタ１０によれば、単一の携帯機器に複数の情報記録カード６０，６１を装備することができるので、複数の国において、それぞれ格安の通話サービスを受けることができるとともに情報記録カード６０，６１の交換忘れによる通話サービスのロスを減少させることができ、加えて、情報記録カード６０，６１の挿脱回数を減らせるので、情報記録カード６０，６１の紛失や破損等のトラブルを減少させて、携帯機器を快適に使用することができる。
【００４６】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００４７】
例えば、カード側接点の数は一例であって、情報量に応じた記録装置の容量等の変更に伴い増加或いは減少が可能である。
【図面の簡単な説明】
【００４８】
【図１】本発明の一実施形態に係るカードコネクタと情報記録カードとの分解斜視図である。
【図２】図１の組込斜視図である。
【図３】図２のI−I線断面図である。
【図４】図１のインシュレータ成形時の金型の断面図である。
【図５】従来のカードコネクタの概観図である。
【符号の説明】
【００４９】
１０        カードコネクタ
１１        インシュレータ
１２        コネクタ側端子（端子）
１５        上側カード挿入保持部（カード挿入保持部）
１６        下側カード挿入保持部（カード挿入保持部）
２０        コネクタ側接点
６０，６１  情報記録カード
６２        カード側接点
６３        上側トレー（トレー）
６４        下側トレー（トレー）
６６        板ばね部材（押圧機構）
７０        上側金型（金型）
７１        下側金型（金型）
【図１】
2008130515.tif 000003
【図２】
2008130515.tif 000004
【図３】
2008130515.tif 000005
【図４】
2008130515.tif 000006
【図５】
2008130515.tif 000007